(57)【要約】【課題】本発明は、不透明な鉢においても水位計を用いることなく、鉢内の水位の管理を確実に行なうことのできるハイドロ用鉢を提供するものである。【解決手段】側壁部の下方位置に水抜き孔を形成し、該水抜き孔を覆うようにフィルターを配設してなることを特徴とするハイドロ用鉢。【選択図】図１
2005102528.tif 000002
【特許請求の範囲】
【請求項１】
側壁部の下方位置に水抜き孔を形成し、該水抜き孔を覆うようにフィルターを配設してなることを特徴とするハイドロ用鉢。
【請求項２】
水抜き孔を、鉢本体の高さの底から約１／３ないし約１／５となる位置に形成したことを特徴とする請求項１に記載のハイドロ用鉢。
【請求項３】
鉢全体の底部及び下方側側壁部を囲繞するように該側壁部より適宜間隔を有して環状側壁部を配設した水受け皿を構成してなることを特徴とする請求項１又は２に記載のハイドロ用鉢。
【請求項４】
水受け皿の側壁部の高さを、水抜き孔の位置よりやや高い位置に形成したことを特徴とする請求項３に記載のハイドロ用鉢。
【発明の詳細な説明】
【技術分野】
【０００１】
本発明は、ハイドロボール（ハイドロカルチャー）、土、ロックウール等の植物育成材料を充填した植木鉢、集合鉢等の無孔底鉢（以下ハイドロ用鉢という。）において、供給された水の水位を所定位置以上に上昇させないことを目的としたハイドロ用鉢に関する。
【背景技術】
【０００２】
従来より、植物栽培手段としてハイドロ用鉢が使用されている。ハイドロ用鉢は、観葉植物等の植物を煉瓦のような材料で粒状としたハイドロボール等を育成手段として利用する栽培である。該ハイドロ用鉢は、その底部に鉢穴が形成されていないので鉢内部から様々なものが外部へ流出することがなく、外観上はきれいな状態で管理することができるが、他方、供給した水の内、植物に吸収されないものは鉢内に溜まることになる。しかし、鉢の内部の様子は外側からは可視不可能なため鉢内の水位がどの程度の位置なのかの判断ができなく、適切な供給量を管理することが不可能であった。そのため、水を供給しすぎて鉢から溢れることや、植物に根腐れを生じさせることが多く発生していた。
【０００３】
上記欠点を解決するため、透明や半透明のガラス、その他透明に近い他の材料で鉢を製造し、鉢内の水位の状態が外部から判断できるようにして、水の供給を管理している。しかし、鉢を形成する主たる材料は不透明のプラスチック製や陶磁製等であり、上記透明や透明に近い材料で鉢を製造することは特殊なことであり、コストアップの原因となっていた。
【０００４】
そこで、不透明な一般的な鉢でも水位の状態を管理できるようにするため、図３に示すように、鉢Ａの内部に水位計Ｂを埋め込み、水位Ｃの状態を確認することが行なわれている。
【０００５】
しかし、上記の場合、鉢Ａの他に別途、水位計Ｂを用意しなければならず、高価となり、且つ該水位計Ｂで水位を確認したとしても、水位計Ｂはそれ以前の状態を確認するものであり、供給中の水が鉢内でどの程度の水位となるかは当該供給時点では確認することができず、結果として水を与えすぎることも多く生じていた。
【特許文献１】特開平８−１４０５０７号公報
【発明の開示】
【発明が解決しようとする課題】
【０００６】
本発明は、不透明な鉢においても水位計を用いることなく、鉢内の水位の管理を確実に行なうことのできるハイドロ用鉢を提供するものである。
【課題を解決するための手段】
【０００７】
側壁部の下方位置に水抜き孔を形成し、該水抜き孔を覆うようにフィルターを配設してなるハイドロ用鉢を特徴とする。
【０００８】
上記水抜き孔を、鉢本体の高さの底から約１／３ないし約１／５となる位置に形成したハイドロ用鉢を特徴とする。
【０００９】
また、鉢本体の底部及び下方側側壁部を囲繞するように該側壁部より適宜間隔を有して環状側壁部を配設した水受け皿を構成してなるハイドロ用鉢を特徴とする。
【００１０】
更に、上記水受け皿の側壁部の高さを、水抜き孔の位置よりやや高い位置に形成したハイドロ用鉢を特徴とする。
【発明の効果】
【００１１】
本発明は、鉢の側壁に水抜き孔を形成したので、鉢本体内に充填した植物育成材料への水の供給が、予め設定した所定の水位を超えると、余分な水が自動的に鉢外部へ排出されることになる。従って、水が過剰に植物に与えられることによる根腐れ等の弊害を生じさせることがなくなった。
【００１２】
また、ハイドロ用鉢において必需品であった水位計は、鉢本体の植物育成材料中に挿入しているため、不透明な鉢の場合、上方部から鉢内の水位を確認することはできなかった。更に、水を供給するタイミングは、水位計が示す針が下がりきった後の２、３日後に適性水位に到達するように水を供給する方法を採用しており、管理が大変であった。本発明では過剰な水は即刻排出されることになり、予め設定した水位状態を保つことができる。また、本発明では水位計が不必要となったので、その分安価となり、且つ外見上もすっきりした鉢が得られることとなった。
【００１３】
更に、鉢の下部外周に環状の水受け皿を構成することにより鉢の側壁部より排出された水が当該水受け皿に溜まり、該側壁部や周囲を汚すことがない。また、該水受け皿の側壁部を水抜き孔よりやや高く構成することにより、鉢内の水位が下がっている場合には、内・外の側壁部間に貯留した水が水抜き孔より鉢内へ浸透することになるので、当該箇所より鉢本体内の植物育成材料に水を供給することも可能となった。
【発明を実施するための最良の形態】
【００１４】
以下、本発明の一実施例を図面に基づいて詳細に説明する。
【実施例１】
【００１５】
図１は、ハイドロ用鉢１を示す断面図で、該ハイドロ用鉢１は、無孔の底部２及び筒状の側壁部３とより構成されている。該ハイドロ用鉢１は、陶器、プラスチック、ガラス、ブリキ、ポリレジン等の様々な材料のものが使用される。また、その内側にはハイドロボール等の植物育成材料４が充填される。Ｐは観葉植物等の適宜植物である。
【００１６】
上記ハイドロボール等の植物育成材料４を使用する栽培方法は、ハイドロカルチャーと呼ばれ、水位を一定の高さに保つことにより植物Ｐを育てている。本発明は、鉢本体の高さ（図１のＨ）の底から約１／３ないし約１／５となる高さ位置（図１のＳ）の側壁部３に水抜き孔５を形成する。上記構成により鉢本体に充填された植物育成材料の底から約１／４となる高さに該当する位置に水位の最高位が設定されることになる。該水抜き孔５は筒状の側壁部３の適所に形成する。
【００１７】
該水抜き孔５の位置には、該側壁部３の内側に添って該水抜き孔５を覆うようにしてフィルター６を配設する。鉢１内に供給された余分水は、植物育成材料４から該フィルター６の空隙を通過して外部へ排出されることになるが、植物育成材料４は粒状のためフィルター６を通過することなく鉢内に止まることになる。
該フィルター６は、網状のもの、板体に小孔を形成したもの、繊維を塊状としたもの等様々なものが使用される。
また、本実施例１では内側に向かって凸状とした湾曲状フィルター６を採用している。湾曲状とすることにより植物育成材料４との接触部を多くし、且つ排出可能面積を多くし、余分水の排出を良好としている。
【実施例２】
【００１８】
図２は、他のハイドロ用鉢７の実施例で、その断面図を示している。
該ハイドロ用鉢７は、底部８、筒状の側壁部９及び該側壁部９の下方部側に形成した水受け皿１０並びに植物育成材料１１とより構成されている。
【００１９】
水位の設定を鉢本体の高さ（図２のＨ）の底から約１／３ないし約１／５となる高さ（図２のＳ）に設定した場合、上記実施例１と同様、鉢７本体への植物育成材料１１の通常の充填状態であれば、植物育成材料１１の底から約１／４の高さ位置に相当する該側壁部９に水抜き孔１２が形成されることになる。該水抜き孔１２には、該水抜き孔１２を覆うようにして外側に向って凸状とした湾曲フィルター１３を配設している。
【００２０】
鉢７内に供給した水により、水抜き孔１２の位置にまで水位が上昇すると、水は該水抜き孔１２より外側へ排出されることになる。
上記水受け皿１０は、底部１４及び環状の側壁部１５とより構成され、該側壁部１５は、その高さを上記水抜き孔１２の位置よりやや高い位置に設定した筒状体のものとして形成する。
【００２１】
上記のように、植物育成材料１１の底から約１／４を越える高さに水位が上昇しようとした場合、それらの水は余分水となり、水抜き孔１２より外側へ排出され、該水受け皿１０へと流出することになる。従って、多くの水が供給されたとしても、植物育成材料１１の水位は鉢７本体の高さ（Ｈ）の底から約１／３ないし約１／５の高さ位置（Ｓ）に保たれることになる。また、水受け皿１０の側壁部１５により鉢７の側壁部９が隠蔽され、排出水によって汚染された状態が露出されないので外観のきれいな鉢を得ることができる。
【００２２】
また、内・外の側壁部９、１５間に溜まった水が多い場合、或いは意識的に多くしておくことにより、鉢７本体内の水位が下降した場合に、当該貯留水が該水抜き孔１２より該鉢７内へと導入され、植物育成材料１１へ供給されることになる。
【００２３】
仮に、該内・外の側壁部９、１５間への水の供給が鉢７本体内の水位より高くなった場合、或いは鉢７本体内への水の供給が過多となり、該水抜き孔１２より多量の水が水受け皿１０に排出され、内・外の側壁部９、１５間に水が充満した場合には、該水抜き孔１２を通じ、鉢７本体内の水位を上昇させることになる。
しかし、該水抜き孔１２は大孔でないこと及び該側壁部１５は水抜き孔１２の高さよりやや高い位置に設定されているので、鉢７本体内の水位を水抜き孔１２の上端位置より大幅に上昇させることはない。
【００２４】
なお、上記実施例１、２において、フィルター６、１３を湾曲状に突出或いは凹設して形成しているが、これらは上記実施例１、２間において適宜採用できることである。また、鉢本体の側壁部の内壁の水抜き孔の位置に添って網状体や小孔・空隙を有するフィルターを立設或いは載置等により配設し、それらを植物育成材料の充填により側壁部側へ押し付けることにより該フィルターを設置させることも可能である。
【図面の簡単な説明】
【００２５】
【図１】本発明のハイドロ用鉢の断面図。
【図２】本発明のハイドロ用鉢の他の実施例の断面図。
【図３】従来例のハイドロ用鉢の断面図。
【符号の説明】
【００２６】
１．７．      ハイドロ用鉢
２．８．      底部
３．９．      側壁部
４．１１．    植物育成材料
５．１２．    水抜き孔
６．１３．    フィルター
１０．          水受け皿
１４．          底部
１５．          側壁部
【図１】
2005102528.tif 000003
【図２】
2005102528.tif 000004
【図３】
2005102528.tif 000005